【手続補正書】
【提出日】平成19年1月23日(2007.1.23)
【手続補正１】
【補正対象書類名】特許請求の範囲
【補正対象項目名】全文
【補正方法】変更
【補正の内容】
【特許請求の範囲】
【請求項１】
ブラックインクおよびブラックインク以外の他の色のカラーインクを用い、記録データに基づいて被記録媒体にブラックインクおよびカラーインクのドットを形成することによって画像を記録可能な記録装置において、
最終的な記録画像の濃度を低くするときに、多値の前記記録データを補正してブラックインクにより形成されるドット数を少なくするブラック記録制御手段と、
最終的な記録画像の濃度を低くするときに、２値の前記記録データを補正してカラーインクにより形成されるドット数を少なくするカラー記録制御手段と、
を備えることを特徴とする記録装置。
【請求項２】
前記ブラック記録制御手段は、画像の記録濃度を低下させるべく前記記録データを補正するアウトプットガンマ補正によってドットを少なくすることを特徴とする請求項１に記載の記録装置。
【請求項３】
前記カラー記録制御手段は、１記録画素当たりにおけるドットの形成数を減らすことによって、ドットを少なくすることを特徴とする請求項１または２に記載の記録装置。
【請求項４】
前記カラー記録制御手段は、ドットの形成数を減らすドットパターンにしたがってドットを形成することを特徴とする請求項１または２に記載の記録装置。
【請求項５】
前記ブラック記録制御手段と前記カラー記録制御手段は、ドットを少なくする割合が異なることを特徴とする請求項１から４のいずれかに記載の記録装置。
【請求項６】
前記ブラック記録制御手段によってドットを少なくする割合は、前記カラー記録制御手段によってドットを少なくする割合よりも低いことを特徴とする請求項５に記載の記録装置。
【請求項７】
記録データに基づいて、被記録媒体に１記録画素当たり１つおよび複数のインクのドット形成することによって画像を記録する記録装置において、
前記記録データに基づいて形成すべきドットを間引いて記録する第１および第２の間引き記録制御手段を備え、
前記第１の間引き記録制御手段は、１記録画素当たりにドットが１つ形成される場合に、画像の記録濃度を低下させるべく前記記録データを補正するアウトプットガンマ補正によってドットを間引き、
前記第２の間引き記録制御手段は、１記録画素当たりに複数のドットが形成される場合に、１記録画素に形成するドットの数を減らす記録データの処理を行うことによってドットを間引く
ことを特徴とする記録装置。
【請求項８】
記録データに基づいて、被記録媒体に１記録画素当たり１つおよび複数のインクのドット形成することによって画像を記録する記録装置において、
前記記録データに基づいて形成すべきドットを間引いて記録する第１および第２の間引き記録制御手段を備え、
前記第１の間引き記録制御手段は、１記録画素当たりにドットが１つ形成される場合に、画像の記録濃度を低下させるべく前記記録データを補正するアウトプットガンマ補正によってドットを間引き、
前記第２の間引き記録制御手段は、１記録画素に形成するドット配置を規定したドットパターンに従って１記録画素当たりに複数のドットが形成される場合に、１記録画素内に形成するドットの数を減らしたドットパターンにしたがってドットを形成することによりドットを間引く
ことを特徴とする記録装置。
【請求項９】
ブラックインクおよびブラックインク以外の他の色のカラーインクを用い、記録データに基づいて被記録媒体にブラックインクおよびカラーインクのドットを形成することによって画像を記録可能な記録方法において、
最終的な記録画像の濃度を低くするときに、前記記録データを補正してブラックインクおよびカラーインクにより形成されるドット数を少なくして記録する記録ステップを含み、
前記記録ステップは、多値の前記記録データを補正してブラックインクにより形成されるドット数を少なくし、２値の前記記録データを補正してカラーインクにより形成されるドット数を少なくすることを特徴とする記録方法。
【請求項１０】
記録データに基づいて、被記録媒体に１記録画素当たり１つおよび複数のインクのドット形成することによって画像を記録する記録方法において、
前記記録データに基づいて形成すべきドットを間引いて記録する間引き記録ステップを含み、
１記録画素当たりにドットが１つ形成される場合には、前記間引き記録ステップにおいて、画像の記録濃度を低下させるべく前記記録データを補正するアウトプットガンマ補正によってドットを間引き、
１記録画素当たりに複数のドットが形成される場合には、前記間引き記録ステップにおいて、１記録画素に形成するドットの数を減らす記録データの処理を行うことによってドットを間引く
ことを特徴とする記録方法。
【請求項１１】
記録データに基づいて、被記録媒体に１記録画素当たり１つおよび複数のドット形成することによって画像を記録する記録方法において、
前記記録データに基づいて形成すべきドットを間引いて記録する間引き記録ステップを含み、
１記録画素当たりにドットが１つ形成される場合には、前記間引き記録ステップにおいて、画像の記録濃度を低下させるべく前記記録データを補正するアウトプットガンマ補正によってドットを間引き、
１記録画素に形成するドット配置を規定したドットパターンに従って１記録画素当たりに複数のドットが形成される場合には、前記間引き記録ステップにおいて、１記録画素内に形成するドットの数を減らしたドットパターンにしたがってドットを形成することによりドットを間引く
ことを特徴とする記録方法。
【手続補正２】
【補正対象書類名】明細書
【補正対象項目名】００１４
【補正方法】変更
【補正の内容】
【００１４】
本発明の記録装置は、ブラックインクおよびブラックインク以外の他の色のカラーインクを用い、記録データに基づいて被記録媒体にブラックインクおよびカラーインクのドットを形成することによって画像を記録可能な記録装置において、最終的な記録画像の濃度を低くするときに、多値の前記記録データを補正してブラックインクにより形成されるドット数を少なくするブラック記録制御手段と、最終的な記録画像の濃度を低くするときに、２値の前記記録データを補正してカラーインクにより形成されるドット数を少なくするカラー記録制御手段と、を備えることを特徴とする。
【手続補正３】
【補正対象書類名】明細書
【補正対象項目名】００１５
【補正方法】変更
【補正の内容】
【００１５】
本発明の記録装置は、記録データに基づいて、被記録媒体に１記録画素当たり１つおよび複数のインクのドット形成することによって画像を記録する記録装置において、前記記録データに基づいて形成すべきドットを間引いて記録する第１および第２の間引き記録制御手段を備え、前記第１の間引き記録制御手段は、１記録画素当たりにドットが１つ形成される場合に、画像の記録濃度を低下させるべく前記記録データを補正するアウトプットガンマ補正によってドットを間引き、前記第２の間引き記録制御手段は、１記録画素当たりに複数のドットが形成される場合に、１記録画素に形成するドットの数を減らす記録データの処理を行うことによってドットを間引くことを特徴とする。
【手続補正４】
【補正対象書類名】明細書
【補正対象項目名】００１６
【補正方法】変更
【補正の内容】
【００１６】
本発明の記録装置は、記録データに基づいて、被記録媒体に１記録画素当たり１つおよび複数のインクのドット形成することによって画像を記録する記録装置において、前記記録データに基づいて形成すべきドットを間引いて記録する第１および第２の間引き記録制御手段を備え、前記第１の間引き記録制御手段は、１記録画素当たりにドットが１つ形成される場合に、画像の記録濃度を低下させるべく前記記録データを補正するアウトプットガンマ補正によってドットを間引き、前記第２の間引き記録制御手段は、１記録画素に形成するドット配置を規定したドットパターンに従って１記録画素当たりに複数のドットが形成される場合に、１記録画素内に形成するドットの数を減らしたドットパターンにしたがってドットを形成することによりドットを間引くことを特徴とする。
【手続補正５】
【補正対象書類名】明細書
【補正対象項目名】００１７
【補正方法】変更
【補正の内容】
【００１７】
本発明の記録方法は、ブラックインクおよびブラックインク以外の他の色のカラーインクを用い、記録データに基づいて被記録媒体にブラックインクおよびカラーインクのドットを形成することによって画像を記録可能な記録方法において、最終的な記録画像の濃度を低くするときに、前記記録データを補正してブラックインクおよびカラーインクにより形成されるドット数を少なくして記録する記録ステップを含み、前記記録ステップは、多値の前記記録データを補正してブラックインクにより形成されるドット数を少なくし、２値の前記記録データを補正してカラーインクにより形成されるドット数を少なくすることを特徴とする。
【手続補正６】
【補正対象書類名】明細書
【補正対象項目名】００１８
【補正方法】変更
【補正の内容】
【００１８】
本発明の記録方法は、記録データに基づいて、被記録媒体に１記録画素当たり１つおよび複数のインクのドット形成することによって画像を記録する記録方法において、前記記録データに基づいて形成すべきドットを間引いて記録する間引き記録ステップを含み、１記録画素当たりにドットが１つ形成される場合には、前記間引き記録ステップにおいて、画像の記録濃度を低下させるべく前記記録データを補正するアウトプットガンマ補正によってドットを間引き、１記録画素当たりに複数のドットが形成される場合には、前記間引き記録ステップにおいて、１記録画素に形成するドットの数を減らす記録データの処理を行うことによってドットを間引くことを特徴とする。
【手続補正７】
【補正対象書類名】明細書
【補正対象項目名】００１９
【補正方法】変更
【補正の内容】
【００１９】
本発明の記録方法は、記録データに基づいて、被記録媒体に１記録画素当たり１つおよび複数のドット形成することによって画像を記録する記録方法において、前記記録データに基づいて形成すべきドットを間引いて記録する間引き記録ステップを含み、１記録画素当たりにドットが１つ形成される場合には、前記間引き記録ステップにおいて、画像の記録濃度を低下させるべく前記記録データを補正するアウトプットガンマ補正によってドットを間引き、１記録画素に形成するドット配置を規定したドットパターンに従って１記録画素当たりに複数のドットが形成される場合には、前記間引き記録ステップにおいて、１記録画素内に形成するドットの数を減らしたドットパターンにしたがってドットを形成することによりドットを間引くことを特徴とする。